(57)【要約】  本発明は、Ｎ本の搬送波のセットの各搬送波にシンボルが割り当てられる多重搬送波変調の方法、コンピュータ・プログラム、コンピュータ・プログラム製品、送信機および受信機に関し、前記方法は、前記シンボルのうちの少なくとも１つを前記Ｎ本の搬送波のセットの第１搬送波に割り当てるステップと、前記シンボルのうちの前記少なくとも１つと正反対の表現を前記Ｎ本の搬送波のセットの第２搬送波に割り当てるステップと、を含む。
2009505471.tif 000002
【特許請求の範囲】
【請求項１】
Ｎ本の搬送波のセットの各搬送波にシンボルが割り当てられる多重搬送波変調方法であって、
少なくとも前記シンボルのうちの１つを前記Ｎ本の搬送波のセットの第１搬送波に割り当てるステップと、前記少なくとも前記シンボルのうちの１つと正反対の表現を前記Ｎ本の搬送波のセットの第２搬送波に割り当てるステップと、
を含む方法。
【請求項２】
前記第１搬送波および前記第２搬送波の搬送周波数は、隣接する搬送周波数に割り当てられる、請求項１に記載の方法。
【請求項３】
前記多重搬送波変調は、マルチバンド（ＭＢ：Ｍｕｌｔｉ  Ｂａｎｄ）直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調を表す、請求項１に記載の方法。
【請求項４】
前記第１搬送波に関連付けられる前記少なくとも１つの前記シンボルの複素共役表現は、第３搬送波に割り当てられ、前記第２搬送波に関連付けられる前記正反対の表現の複素共役表現は、第４搬送波に割り当てられる、請求項１に記載の方法。
【請求項５】
前記Ｎ本の搬送波のセットはＮ個の搬送周波数のセットに関連付けられ、各搬送周波数は、指数ｉ∈｛０、１、．．．、Ｎ−１｝を有するｆiにより表され、前記搬送周波数ｆiは、指数ｉによって前記搬送周波数の小さい順に配列され、前記第１搬送波の搬送周波数はｋ∈｛０、１、．．．、Ｎ−１｝を有するｆkにより表され、前記第２搬送波の搬送周波数はｆlによって表され、ｌ∈｛０、．．．、Ｎ−１｝であり、ｌ≠ｋがなりたち、搬送周波数ｆN-1-kは前記第３搬送波に関連付けられ、搬送周波数ｆN-1-lは前記第４搬送波に関連付けられる、請求項４に記載の方法。
【請求項６】
少なくとも前記Ｎ本の搬送波のうちの１本と、少なくとも前記シンボルのうちの１つおよび前記少なくとも１つのシンボルと前記正反対の表現との関連付けは、前記多重搬送波変調の第１および第２シンボル期間と同じである、請求項１に記載の方法。
【請求項７】
少なくとも前記Ｎ本の搬送波のうちの１本と、少なくとも前記シンボルのうちの１つ、前記少なくとも１つのシンボルと前記正反対の表現、および前記複素共役表現との関連付けは、前記多重搬送波変調の第１および第２シンボル期間と同じである、請求項４に記載の方法。
【請求項８】
前記Ｎ本の搬送波のセットの少なくとも前記搬送波のうちの１本にヌル・シンボルが割り当てられる、請求項１に記載の方法。
【請求項９】
前記Ｎ本の搬送波のセットのうちの少なくとも２本の搬送波にヌル・シンボルが割り当てられ、前記Ｎ本の搬送波のセットのうちの前記少なくとも２本の搬送波のうち少なくとも一対の搬送波は、隣接する搬送周波数の２本の搬送波を有する、請求項１に記載の方法。
【請求項１０】
前記多重搬送波変調は、無線パーソナル・エリア・ネットワーク（ＷＰＡＮ：Ｗｉｒｅｌｅｓｓ  Ｐｅｒｓｏｎａｌ  Ａｒｅａ  Ｎｅｔｗｏｒｋ）の超広帯域無線として使用される、請求項１に記載の方法。
【請求項１１】
前記多重搬送波変調は、５３．３Ｍｂｐｓ、８０Ｍｂｐｓ、１０６．７Ｍｂｐｓ、１６０Ｍｂｐｓおよび２００Ｍｂｐｓのデータ転送速度のいずれかで動作する、請求項１に記載の方法。
【請求項１２】
Ｎ本の搬送波のセットの各搬送波にシンボルが割り当てられる多重搬送波変調の方法であって、
少なくとも前記シンボルのうちの１つを係数ｗで重み付けされている第１搬送波に割り当てるステップと、前記少なくとも前記シンボルのうちの１つを前記係数ｗに対し正反対の係数−ｗで重み付けされている第２搬送波に割り当てるステップと、
を含む方法。
【請求項１３】
請求項１に記載の方法ステップをプロセッサに実行させるように動作可能な命令を有するコンピュータ可読媒体に記憶されているコンピュータ・プログラム。
【請求項１４】
請求項１２に記載の方法ステップをプロセッサに実行させるように動作可能な命令を有するコンピュータ可読媒体に記憶されているコンピュータ・プログラム。
【請求項１５】
Ｎ本の搬送波のセットの各搬送波にシンボルが割り当てられる多重搬送波変調システムであって、
少なくとも前記シンボルのうちの１つを前記Ｎ本の搬送波のセットの第１搬送波に割り当てるように構成された手段と、前記少なくとも前記シンボルのうちの１つと正反対の表現を前記Ｎ本の搬送波のセットの第２搬送波に割り当てるように構成された手段と、
を含むシステム。
【請求項１６】
前記システムは、
前記第１搬送波および前記第２搬送波の搬送周波数を、隣接する搬送周波数に割り当てるように構成された手段
をさらに含む、請求項１５に記載のシステム。
【請求項１７】
前記システムは、
前記多重搬送波変調の多重搬送波信号を送信するように構成された手段と、
前記多重搬送波変調の前記多重搬送波信号を受信するように構成された手段と、
前記シンボルを検出するように構成された手段と、
をさらに含む、請求項１５に記載のシステム。
【請求項１８】
Ｎ本の搬送波のセットの各搬送波にシンボルが割り当てられる多重搬送波変調送信機であって、
少なくとも前記シンボルのうちの１つを前記Ｎ本の搬送波のセットの第１搬送波に割り当てるように構成されている手段と、前記少なくとも前記シンボルのうちの１つと正反対の表現を前記Ｎ本の搬送波のセットの第２搬送波に割り当てるように構成されている手段と、
前記シンボルを割り当てる手段によって各シンボルが割り当てられている搬送波を含む多重搬送波信号を送信するように構成されている手段と、
を含む送信機。
【請求項１９】
前記送信機は、前記第１搬送波および前記第２搬送波の搬送周波数を隣接する搬送周波数に割り当てるように構成されている手段をさらに含む、請求項１８に記載の送信機。
【請求項２０】
Ｎ本の搬送波のセットの各搬送波にシンボルを割り当てる多重搬送波変調の多重搬送波信号を受信し、前記シンボルを検出する受信機であって、
前記シンボルを検出するように構成されている手段であって、少なくとも前記シンボルのうちの１つが前記Ｎ本の搬送波のセットの第１搬送波に割り当てられ、前記少なくとも前記シンボルのうちの１つと正反対の表現が、前記Ｎ本の搬送波のセットの第２搬送波に割り当てられる手段
を含む受信機。
【請求項２１】
前記受信機は、
前記シンボルを検出するように構成されている手段であって、前記第１搬送波および前記第２搬送波の搬送周波数は隣接する搬送周波数に割り当てられる手段
をさらに含む、請求項２０に記載の受信機
【請求項２２】
前記受信機は、
時間領域検出方法および周波数領域検出方法のうちの少なくとも１つを適用し、前記シンボルを検出するように構成されている手段
をさらに含む、請求項２０に記載の受信機。
【発明の詳細な説明】
【技術分野】
【０００１】
本発明は、Ｎ本の搬送波のセットの各搬送波にシンボルが割り当てられる多重搬送波変調の方法に関する。
【背景技術】
【０００２】
超広帯域（ＵＷＢ：Ｕｌｔｒａ  Ｗｉｄｅ  Ｂａｎｄ）技術は、高データ転送速度の低電力短距離（１０ｍ以下）の無線通信技術の物理層に使用することもでき、例えば多重搬送波変調によって実装することもできる。上述の多重搬送波変調は、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調、マルチバンド（ＭＢ：Ｍｕｌｔｉ  Ｂａｎｄ）ＯＦＤＭ変調またはその他任意の多重搬送波変調によって代表される。
【０００３】
しかし、前記多重搬送波ＵＷＢシステムは、前記ＵＷＢシステムのスペクトル内で動作する少なくとも１つの狭帯域無線サービスと共存しなければならないことが多い。一般的に、前記狭帯域無線システムは、ＵＷＢシステムの帯域幅よりも小さい任意の帯域幅を有する。このように、前記狭帯域システムは、前記多重搬送波ＵＷＢシステムの搬送波の少なくとも１本にとって干渉源のように映り、さらに大きな問題として、アクティブなＵＷＢシステムは前記狭帯域通信システムにとって雑音レベルの増大のように映る。前記狭帯域無線サービスに影響を及ぼすこの干渉を最小化するために、前記狭帯域無線サービスの周波数スペクトルにおいてＵＷＢシステムの送信電力を制限する必要がある。
【０００４】
最も顕著なのは、２００４年１０月１１〜１５日にオランダのアムステルダムで開催された第３４回欧州マイクロ波週間会議（Ｅｕｒｏｐｅａｎ  Ｍｉｃｒｏｗａｖｅ  Ｗｅｅｋ  Ｃｏｎｆｅｒｅｎｃｅ）で山口博久により提示された「アクティブ干渉相殺（ＡＩＣ：Ａｃｔｉｖｅ  Ｉｎｔｅｒｆｅｒｅｎｃｅ  Ｃａｎｃｅｌｌａｔｉｏｎ）技術」が、ＵＷＢ  ＭＢ−ＯＦＤＭ無線システムにより引き起こされる干渉のレベルを軽減するために狭帯域システムに導入されたことである。前記ＡＩＣ技術は、前記第３４回欧州マイクロ波週間会議の議事録中に、「ＭＢ−ＯＦＤＭコグニティブ無線のためのアクティブ干渉相殺技術（Ａｃｔｉｖｅ  Ｉｎｔｅｒｆｅｒｅｎｃｅ  Ｃａｎｃｅｌｌａｔｉｏｎ  Ｔｅｃｈｎｉｑｕｅ  ｆｏｒ  ＭＢ−ＯＦＤＭ  Ｃｏｇｎｉｔｉｖｅ  Ｒａｄｉｏ）」というタイトルで１１０５−１１０８ページに公開されている。初めに、以下で被害受信側帯域とよばれる、狭帯域の受信帯域に含まれる前記ＭＢ−ＯＦＤＭシステムの搬送波が無効化される。ＯＦＤＭに加えてＭＢ−ＯＦＤＭでも、搬送波間の干渉を回避するために一定の周波数間隔であらゆる搬送波が配置されるが、ＯＦＤＭ搬送波のスペクトルを特徴付けるｓｉｎｃ関数の特性により搬送周波数間の搬送波間干渉が大きくなる。そのため、被害受信側帯域に含まれる搬送波を無効化しても、残りのアクティブ搬送波が、前記無効化された搬送波の搬送周波数間のスペクトルに関し干渉をもたらすため、通常は、前記被害受信側帯域における送信電力の制限を十分行うことにはつながらない。特に、前記干渉の多くは、前記無効化された搬送波の近くにあるアクティブ搬送波のトーンにより決まる。従って、前記ＡＩＣ法は、被害受信側帯域の両側に位置する搬送波に関連した２つのトーンを計算し、被害受信側帯域内の干渉を最小化することを提案する。前記２つのトーンは、以下でＡＩＣトーンと示される。ＡＩＣトーンを計算するために、被害受信側帯域に含まれる搬送波は無効化され、ＡＩＣトーンに対応する搬送波も無効化される。その後、データ搬送波、パイロット搬送波、ガード搬送波および前記無効化搬送波により適切に定義される、信号の１２８ポイントＩＦＦＴが計算され、対応する周波数スペクトルが得られる。被害受信側帯域上に依然として存在する干渉量を見積もるために、アップサンプリング係数Ｋを伴う１２８Ｋ−ＩＦＦＴが前記信号に適用され、ＭＢ−ＯＦＤＭスペクトルが補間される。続いて、被害受信側帯域内の各周波数ポイント上に存在する総ＭＢ−ＯＦＤＭ干渉電力が計算され、被害受信側帯域上の総ＭＢ−ＯＦＤＭ干渉を最小化するために最小平均二乗誤差法を適用することで、２つの最適なＡＩＣ係数が得られる。前記最小平均二乗誤差最適化の問題を解くには逆行列演算が必要である。その後、量子化されたＡＩＣ係数の値が、被害受信側帯域の両側に配置された搬送波に関連付けられた、上記ＡＩＣのトーンに割り当てられる。最後に、ＡＩＣトーンを含むＭＢ−ＯＦＤＭ信号が送信される。
【０００５】
しかしＡＩＣ法は、最小平均二乗誤差最適化の問題を解くために周波数領域信号の補間および逆行列の計算を必要とするため、複雑性を高める。さらに、ＡＩＣ係数の量子化はアルゴリズムの性能を制限する。
【発明の開示】
【課題を解決するための手段】
【０００６】
上述の問題を考慮し、本発明の目的は、とりわけ、多重搬送波変調によりもたらされる干渉を軽減する、簡単なセットアップで実装可能な方法、コンピュータ・プログラム、コンピュータ・プログラム製品、システム、送信機および受信機を提供することである。
【０００７】
Ｎ本の搬送波のセットの搬送波にシンボルが割り当てられる多重搬送波変調の方法が提案され、前記方法は、前記シンボルのうちの少なくとも１つを前記Ｎ本の搬送波のセットの第１搬送波に割り当てるステップと、前記シンボルのうちの前記少なくとも１つと正反対の表現を、前記Ｎ本の搬送波のセットの第２搬送波に割り当てるステップと、を含む。
【０００８】
前記多重搬送波変調は、例えば、直交周波数分割多重方式（ＯＦＤＭ）変調、マルチバンド（ＭＢ）ＯＦＤＭ変調、または、少なくとも２本の搬送波を送信用に提供するその他任意の変調であってよい。前記ＭＢ−ＯＦＤＭはＯＦＤＭの拡張であって、各ＯＦＤＭシンボル区間中に一連のホッピング・パラメータから中心周波数を選択可能である。そのため前記ＭＢ−ＯＦＤＭは、単一の中心周波数だけを使用する通常のＯＦＤＭと比較してより高い周波数ダイバーシティを提供することができる。
【０００９】
前記シンボルは、例えば、例としてはＢＰＳＫ、ＱＰＳＫ、８−ＰＳＫ、１６−ＰＳＫまたはＱＡＭシンボルなどの限られたシンボル符号（ｓｙｍｂｏｌ  ａｌｐｈａｂｅｔ）の位相および／または振幅被変調シンボルであってもよく、さらに前記シンボルは、前記限られたシンボル符号の正反対の表現および／または複素共役表現によってさらに表されてもよく、前記シンボルは、前記限られたシンボル符号の前記正反対の表現の複素共役表現によってさらに表されてもよい。さらに、前記限られたシンボル符号はシンボルによって異なってもよい。前記シンボルは、場合によって情報源符号化、および／または伝送路符号化、および／またはインタリーブされたデータ・シンボルのストリームから生じてもよく、さらに、前記シンボルはパイロット・シンボルを表してもよく、または、前記シンボルは、前記シンボルの振幅をゼロに設定することで無効化してもよい。
【００１０】
前記多重搬送波変調は、Ｎ本の搬送波のセットに適用され、Ｎは、Ｎ∈｛２、３、４、．．．、∞｝と定義することができる。前記Ｎ本の搬送波のセットの前記各搬送波に対するシンボルの前記割り当ては、前記Ｎ本の搬送波のセットの別々の搬送波に対する前記シンボルの全般的な割り当てとして理解してもよい。さらに、前記シンボルのうちの少なくとも１つが前記Ｎ本の搬送波のセットの第１搬送波に割り当てられ、前記シンボルのうちの前記少なくとも１つと正反対の表現が、前記Ｎ本の搬送波のセットの第２搬送波に割り当てられる。具体的には、αが前記シンボルのうちの前記少なくとも１つを意味するとき、β＝−αが前記正反対の表現を表す。前記Ｎ本の搬送波のセットは、データ搬送波ならびにガード搬送波、ならびにパイロット搬送波を含んでもよい。
【００１１】
前記Ｎ本の搬送波のセットは、前記多重搬送波変調に対応する多重搬送波シンボルを形成し、例えば前記多重搬送波シンボルはさらに、少なくとも１つのガード区間および／または少なくとも１つのサイクリック・プレフィックスも含んでよい。前記多重搬送波シンボルは、無線または有線の伝送チャネルを通して送信することができ、前記送信は、拡散、フィルタリングおよびＲＦ変調などさらなる信号処理を含んでもよい。
【００１２】
前記第１搬送波に対する前記シンボルのうちの前記少なくとも１つの前記割り当て、および、前記第２搬送波に対する、前記シンボルのうちの前記少なくとも１つと前記正反対の表現の前記割り当ては、周波数領域拡散をもたらすことができる。前記周波数領域拡散は、例えば、前記周波数領域拡散を実行している送信機によって送信された受信済みの周波数領域被拡散信号を処理する方法および／またはアルゴリズムを適用することで検出を改善するように、受信機が使用してもよい。
【００１３】
前記多重搬送波変調全体にわたって残りのサイドローブ電力が低減されるため、本発明は、前記多重搬送波変調の搬送波の搬送周波数間における干渉の低減を達成する。この価値ある特徴は、前記シンボルのうちの少なくとも１つを搬送波の前記セットの第１搬送波に割り当て、前記シンボルの正反対の表現を搬送波の前記セットの第２搬送波に割り当てることによって実現される。そのため先行技術とは対照的に、さらなる量の実装は必要なく、さらに本発明の性能は前記シンボルの量子化の影響も受けない。
【００１４】
本発明の実施形態によると、前記シンボルのうちの前記少なくとも１つ、および前記シンボルのうちの前記少なくとも１つと正反対の表現が、周波数スペクトル内の隣り合う一対の２本の搬送波のうちの１本に関連付けられるように、前記第１搬送波および第２搬送波の搬送周波数が隣接する搬送周波数に割り当てられる。そのため、前記第１搬送波は、前記隣り合う一対の２本の搬送波のうちの１本の搬送波に割り当てられ、前記第２搬送波は、前記隣り合う一対の２本の搬送波のうちのもう１本の搬送波に割り当てられる。
【００１５】
本発明の実施形態によれば、前記多重搬送波変調は、マルチバンド（ＭＢ）ＯＦＤＭ変調を表す。前記ＭＢ−ＯＦＤＭには、少なくとも１つの周波数帯群が定義され、前記少なくとも１つの周波数帯群のそれぞれは少なくとも１つのサブバンドを含み、前記サブバンドのそれぞれは前記Ｎ本の搬送波のセットを含む。そのため、前記サブバンドのそれぞれを通してＮ本の搬送波から成るＯＦＤＭシンボルが送信され、前記サブバンドを対応する周波数帯群に配置するように、前記サブバンドはそれぞれその中心周波数に関連付けられている。各ＯＦＤＭシンボル区間中、送信に使用されるサブバンドに従って前記中心周波数を選択できる。前記ＭＢ−ＯＦＤＭ変調は、前記サブバンドのうちの少なくとも２つに関連付けられることができ、このことによって、前記ＭＢ−ＯＦＤＭは周波数ダイバーシティを有効に使うことができる。さらに、前記第１および前記第２搬送波の搬送周波数は、隣接する搬送周波数に割り当ててもよい。
【００１６】
本発明の実施形態によれば、前記シンボルのうち、前記第１搬送波に関連付けられた前記少なくとも１つの複素共役表現が、第３搬送波に割り当てられ、前記第２搬送波に関連付けられた前記正反対の表現の複素共役表現が、第４搬送波に割り当てられる。前記複素共役表現の前記第３および第４搬送波に対する前記追加の割り当ては、周波数領域拡散をもたらすことができ、これは例えば、前記周波数領域拡散を実行している送信機により送信された受信済みの周波数領域被拡散信号を処理する方法および／またはアルゴリズムを適用することで検出を改善するように、受信機が使用してもよい。前記シンボルのうちの前記少なくとも１つが実数である場合、前記シンボルのうちの前記少なくとも１つの前記複素共役表現は、前記シンボルのうちの前記少なくとも１つを正確に表し、さらに、前記正反対の表現の前記複素共役表現は、前記正反対の表現を正確に表す。特に、前記第１および第２搬送波の搬送周波数は、隣接する搬送周波数に割り当ててもよい。
【００１７】
本発明の実施形態によれば、前記Ｎ本の搬送波のセットはＮ個の搬送周波数のセットに関連付けられ、各搬送周波数は、指数ｉ∈｛０、１、．．．、Ｎ−１｝を有するｆiにより表され、前記搬送周波数ｆiは、指数ｉによって前記搬送周波数の小さい順に配置され、前記第１搬送波の搬送周波数はｋ∈｛０、１、．．．、Ｎ−１｝を有するｆkにより表され、前記第２搬送波の搬送周波数はｆlによって表され、ｌ∈｛０、．．．、Ｎ−１｝であり、ｌ≠ｋが有効であり、搬送周波数ｆN-1-kは前記第３搬送波に関連付けられ、搬送周波数ｆN-1-lは前記第４搬送波に関連付けられる。前記第１搬送波の搬送周波数と前記第３搬送波の搬送周波数との間の前記関係、および、前記第２搬送波の搬送周波数と前記第４搬送波の搬送周波数との間の前記関係は、複素共役対称によって周波数領域拡散をもたらすことができる。複素共役対称による前記周波数領域拡散は、例えば、前記周波数領域拡散を実行している送信機によって送信された受信済みの周波数領域被拡散信号を処理する方法および／またはアルゴリズムを適用することで検出を改善するように、受信機が使用してもよい。さらに、前記第１搬送波および前記第２搬送波の搬送周波数は、前記Ｎ本の搬送波の完全なセットが及ぶ周波数スペクトルの下半分に位置してもよい。特に、前記第１および第２搬送波の搬送周波数は、隣接する搬送周波数（｜ｌ−ｋ｜＝１）に割り当ててもよく、それと共に、前記第３搬送波および第４搬送波も隣接する搬送周波数を有することになる。
【００１８】
本発明の実施形態によれば、前記シンボルのうちの少なくとも１つおよび前記少なくとも１つのシンボルと前記正反対の表現と、前記Ｎ本の搬送波のセットのうちの少なくとも１本の搬送波との関連付けは、前記多重搬送波変調の第１および第２のシンボル期間にわたって同じである。前記多重搬送波変調の前記シンボル期間は、前記多重搬送波変調のシンボルに関連付けることもでき、これはＮ本の搬送波のセットによって形成され、以下多重搬送波シンボルと記される。前記多重搬送波変調は、ＯＦＤＭ変調、ＭＢ−ＯＦＤＭ変調またはその他任意の多重搬送波変調によって代表される。前記シンボルおよび前記正反対の表現のうちの少なくとも１つが前記第１および第２のシンボル期間にわたって同じ搬送波に関連付けられるため、前記関連付けは時間領域拡散をもたらし、そのため前記シンボルおよび前記正反対の表現のうちの少なくとも１つが、少なくとも２つのシンボル期間中繰り返される。さらに、前記時間領域拡散では、前記第１シンボル期間に対応する完全な多重搬送波シンボルでさえも、前記多重搬送波シンボルを前記第２シンボル期間に対応する多重搬送波シンボルに割り当てることによって、再使用することができると理解してもよい。前記多重搬送波変調がＭＢ−ＯＦＤＭ変調によって代表される場合には、送信される多重搬送波シンボルの中心周波数が各シンボル期間で異なることもあるため、前記多重搬送波シンボルの搬送波の搬送周波数が、各シンボル期間の無線周波数帯において異なることもあり、前記第１および第２のシンボル期間の同一搬送波と、前記シンボルおよび前記正反対の表現のうちの少なくとも１つとの前記関連付けは、前記Ｎ本の搬送波のセットの各搬送波の搬送周波数が変化しないベースバンド多重搬送波シンボルについて実施されると理解してもよい。前記時間領域拡散は、例えば、前記時間領域拡散を実行している送信機によって送信された受信済みの時間領域拡散信号を処理する方法および／またはアルゴリズムを適用することで検出を改善するように、受信機が使用してもよい。特に、前記第１および第２搬送波の搬送周波数は、隣接する搬送周波数に割り当ててもよい。
【００１９】
本発明の実施形態によれば、前記シンボルのうちの少なくとも１つおよび前記少なくとも１つのシンボルの前記正反対の表現および前記複素共役表現との、前記Ｎ本の搬送波のうちの少なくとも１本の関連性は、前記多重搬送波変調の第１および第２のシンボル期間にわたって同じである。先の実施形態に類似して、前記関連性によって時間領域拡散がもたらされる。そのため、先の本発明の実施形態において記載された好適な実施形態が、この実施形態にも使用することができる。
【００２０】
本発明の実施形態によれば、前記Ｎ本の搬送波のセットの前記各搬送波のうちの少なくとも１本は、ヌル・シンボルが割り当てられる。前記搬送波のうちの少なくとも１本に対するヌル・シンボルの前記割り当ては、特に帯域幅に対応する周波数範囲および前記搬送波のうちの前記少なくとも１つの搬送周波数において、送信される電力を軽減する。そのため、前記搬送波のうちの１本に対するヌル・シンボルの前記割り当ては、前記多重搬送波システムの周波数スペクトルにある少なくとも１つの任意周波数スペクトルにおいて、前記多重搬送波システムの送信電力を最小化するために使用してもよい。そのため、前記少なくとも１つの任意周波数スペクトルにある搬送周波数を有する前記Ｎ本の搬送波のセットのうち少なくとも１本にヌル・シンボルを割り当ててもよく、例えば、前記少なくとも１つの任意周波数スペクトルにある搬送周波数を有する前記Ｎ本の搬送波のセットの前記各搬送波のいずれかにヌル・シンボルを割り当ててもよいが、さらに、前記少なくとも１つの任意周波数スペクトルの外にある搬送周波数を有する前記Ｎ本の搬送波のセット上にも少なくともヌル・シンボルを割り当ててもよい。そのため、例えば少なくとも１つの狭帯域無線システムによって使用されることがある少なくとも１つの周波数スペクトルにおいて、前記多重搬送波システムによってもたらされる送信電力を軽減するために、前記Ｎ本の搬送波のセットの前記搬送波のうち少なくとも１本に対するヌル・シンボルの前記割り当てを使用してもよい。特に、前記第１および前記第２の搬送波の搬送周波数は隣接する搬送周波数に割り当ててもよい。さらに、前記搬送波のうちの少なくとも１本に対する前記ヌル・シンボルの前記割り当てでは、前記搬送波のうちの前記少なくとも１本の振幅がゼロまたはゼロ近くに設定されるということも理解されたい。
【００２１】
本発明の実施形態によれば、前記Ｎ本の搬送波のセットのうちの少なくとも２本の搬送波にヌル・シンボルが割り当てられ、前記Ｎ本の搬送波のセットのうちの前記少なくとも２本の搬送波の少なくとも一対の搬送波は、隣接する搬送周波数を備えた２本の搬送波を有する。少なくとも２本の搬送波に対するヌル・シンボルの前記割り当ては、特に前記少なくとも２本の搬送波の帯域幅および搬送周波数に対応する周波数範囲において、送信される電力を軽減する。そのため、前記少なくとも２本の搬送波の少なくとも一対の搬送波が隣接する搬送周波数の２本の搬送波を有する、少なくとも２本の搬送波に対するヌル・シンボルの前記割り当ては、前記多重搬送波システムの周波数スペクトルにある少なくとも１つの任意周波数スペクトルにおいて前記多重搬送波システムの送信電力を最小化するために使用してもよい。さらに、前記少なくとも２本の搬送波の少なくとも一対の搬送波が隣接する搬送周波数の２本の搬送波を有する、前記搬送波のうちの少なくとも２本に対する前記ヌル・シンボルの前記割り当ては、同じく、前記少なくとも２本の搬送波のいくつかの対の搬送波が、隣接する搬送周波数の２本の搬送波をそれぞれ有すると理解してもよい。前記搬送波のうちの少なくとも２本に対する前記ヌル・シンボルの前記割り当てでは、前記搬送波のうちの前記少なくとも２本の振幅がゼロまたはゼロ近くに設定されるということも理解されたい。特に、前記第１および前記第２の搬送波の搬送周波数は、隣接する搬送周波数に割り当てられる。
【００２２】
本発明の実施形態によれば、前記多重搬送波変調は、無線パーソナル・エリア・ネットワーク（ＷＰＡＮ：Ｗｉｒｅｌｅｓｓ  Ｐｅｒｓｏｎａｌ  Ａｒｅａ  Ｎｅｔｗｏｒｋ）の超広帯域無線として使用される。例えば、前記超広帯域（ＵＷＢ）無線は、ＩＥＥＥ８０２．１５．３本文に従って無線パーソナル・エリア・ネットワーク（ＷＰＡＮ）の標準通信プロトコルとして使用してもよい。前記多重搬送波変調は、３．１〜１０．６ＧＨｚの帯域に使用可能なＭＢ−ＯＦＤＭによって代表される。前記ＭＢ−ＯＦＤＭは、少なくとも１つの帯域グループによって代表され、前記少なくとも１つの帯域グループのそれぞれは、少なくとも１つの５２８ＭＨｚサブバンドに関連付けられる。これを通して、Ｎ＝１２８の搬送波に関連付けられた１２８トーンで構成されたＯＦＤＭシンボルが送信される。各シンボル区間中、送信の中心周波数が、使用されている帯域グループに定義されている一連のホッピング・パターンから選択される。さらに、前記多重搬送波変調は、時間領域拡散および／または周波数領域拡散を適用してもよい。特に、前記第１および前記第２搬送波の搬送周波数は、隣接する搬送周波数に割り当ててもよい。
【００２３】
本発明の実施形態によれば、前記多重搬送波変調は、５３．３Ｍｂｐｓ、８０Ｍｂｐｓ、１０６．７Ｍｂｐｓ、１６０Ｍｂｐｓおよび２００Ｍｂｐｓのデータ転送速度のいずれかで動作する。特に、先の本発明の実施形態において記載された好適な実施形態も、前記データ転送速度でこの実施形態に使用することができる。
【００２４】
Ｎ本の搬送波のセットの各搬送波にシンボルが割り当てられる、多重搬送波変調の方法が提案され、前記方法は、前記シンボルのうちの少なくとも１つを、係数ｗで重み付けされた第１搬送波に割り当てるステップと、前記シンボルのうちの少なくとも１つを、前記係数ｗに対する正反対の係数−ｗで重み付けされた第２搬送波に割り当てるステップと、を含む。そのため、前記方法は、前記シンボルのうちの前記少なくとも１つが前記第１搬送波に割り当てられ、前記シンボルのうちの前記少なくとも１つとは正反対の表現が前記第２搬送波に割り当てられる、最初の請求項の代案と見なしてもよい。前記シンボルのうちの前記少なくとも１つとは前記正反対の表現が、前記シンボルのうちの前記少なくとも１つそれぞれについて計算する必要がないため、前記搬送波重み付けを用いた前記方法は、実装費用を削減することができる。前記係数ｗは、複素数値であってもよいし、実数値であってもよく、さらに前記係数はｗ＝１によって表してもよい。前記方法は、上記の、前記第１搬送波に対する前記シンボルのうちの前記少なくとも１つの割り当て、および前記第２搬送波に対する前記シンボルのうちの前記少なくとも１つとは前記正反対の表現の前記割り当てに関しての代案と考えてもよい。そのため、本発明の上記の各実施形態はさらに、前記搬送波重み付けを用いた前記方法の本発明に使用してもよい。特に、前記第１および前記第２搬送波の搬送周波数は、隣接する搬送周波数に割り当ててもよい。
【００２５】
前記第１搬送波に対する前記シンボルのうちの前記少なくとも１つの前記割り当てと、前記第２搬送波に対する前記シンボルのうちの前記少なくとも１つと前記正反対の表現の前記割り当てと、の上述の方法ステップをプロセッサに実行させるよう動作可能な命令を有するコンピュータ可読媒体に記憶されたコンピュータ・プログラムが、さらに提案される。その上、前記コンピュータ・プログラムはさらに、前記第１搬送波に対する前記シンボルのうちの前記少なくとも１つの前記割り当てと、前記第２搬送波に対する前記シンボルのうちの前記少なくとも１つとは前記正反対の表現の前記割り当てと、に関係した上述の実施形態の方法ステップを、プロセッサに実行させるよう動作可能な命令を含む。前記コンピュータ・プログラムは、例えば、送信機または受信機の信号プロセッサの内部メモリまたは外部メモリにロードしてもよい。
【００２６】
係数ｗで重み付けされた第１搬送波に対する、前記シンボルのうちの前記少なくとも１つの前記割り当てと、および前記係数ｗに対し正反対の係数−ｗで重み付けされた第２搬送波に対する、前記シンボルのうちの前記少なくとも１つの前記割り当てと、に関する上述の方法ステップを、プロセッサに実行させるよう動作可能な命令を有するコンピュータ可読媒体に記憶されたコンピュータ・プログラムが、さらに提案される。前記コンピュータ・プログラム製品は、例えば、ＲＡＭ、ＲＯＭ、キャッシュ、メモリ・カード、ディスクまたは同様の媒体などの任意の固定記憶媒体または取り外し可能な記憶媒体に記憶してもよい。
【００２７】
Ｎ本の搬送波のセットの各搬送波にシンボルが割り当てられる多重搬送波変調システムがさらに提案され、前記システムは、前記シンボルのうちの少なくとも１つを前記Ｎ本の搬送波のセットの第１搬送波に割り当てるように構成された手段と、前記シンボルのうちの前記少なくとも１つと正反対の表現を前記Ｎ本の搬送波のセットの第２搬送波に割り当てるよう構成された手段と、を含む。前記システムは、例えば、無線または有線の通信システム（ｗｉｒｅ−ｂｏｕｎｄ  ｃｏｍｍｕｎｉｃａｔｉｏｎ  ｓｙｓｔｅｍ）であってよい。さらに、システムが無線である場合は無線パーソナル・エリア・ネットワーク（ＷＰＡＮ）であってもよい。
【００２８】
本発明の実施形態によれば、前記システムは、前記第１搬送波および前記第２搬送波の搬送周波数を隣接する搬送周波数に割り当てるように構成された手段をさらに含む。
【００２９】
本発明の実施形態によれば、前記システムは、前記多重搬送波変調の多重搬送波信号を送信するように構成された手段と、前記多重搬送波変調の前記多重搬送波信号を受信するように構成された手段と、前記シンボルを検出するよう構成された手段と、をさらに含む。前記多重搬送波信号は少なくとも１つの多重搬送波被変調シンボルを含むことができ、前記多重搬送波被変調シンボルは前記Ｎ本の搬送波のセットによって形成される。さらに、前記多重搬送波信号は、少なくとも１つのサイクリック・プレフィックスおよび／または少なくとも１つのガード区間を含むことができる。前記シンボルを検出するように構成された前記手段によって検出される前記シンボルは、前記シンボルのうちの少なくとも１つと前記正反対の表現をさらに含んでもよく、前記シンボルのうちの少なくとも１つの、少なくとも１つの複素共役表現をさらに含んでもよく、前記シンボルのうちの少なくとも１つと前記正反対の表現の少なくとも１つの複素共役表現をさらに含んでもよい。前記シンボルを検出する前記手段は、前記検出に前記多重搬送波信号を使用してもよい。
【００３０】
Ｎ本の搬送波のセットの搬送波にシンボルが割り当てられる多重搬送波変調送信機がさらに提案され、前記送信機は、前記シンボルのうちの少なくとも１つを前記Ｎ本の搬送波のセットの第１搬送波に割り当てるように構成された手段と、前記シンボルのうちの前記少なくとも１つと正反対の表現を前記Ｎ本の搬送波のセットの第２搬送波に割り当てるように構成された手段と、シンボルを割り当てる前記手段によって各シンボルを割り当てられた搬送波を含む多重搬送波信号を送信するように構成された手段と、を含む。前記多重搬送波信号は、前記Ｎ本の搬送波のセットにより形成された少なくとも１つの多重搬送波被変調シンボルを含むことができる。さらに、前記多重搬送波信号は、少なくとも１つのサイクリック・プレフィックスおよび／または少なくとも１つのガード区間を含んでもよい。前記送信機は、例えば無線または有線の通信システムに展開することができる。
【００３１】
本発明の実施形態によれば、前記送信機は、前記第１搬送波および前記第２搬送波の搬送周波数を隣接する搬送周波数に割り当てるように構成された手段をさらに含む。
【００３２】
Ｎ本の搬送波のセットの各搬送波にシンボルを割り当てる多重搬送波変調の多重搬送波信号を受信して前記シンボルを検出する受信機がさらに提案され、前記受信機は、前記シンボルを検出するように構成された手段を含み、前記シンボルのうちの少なくとも１つは前記Ｎ本の搬送波のセットの第１搬送波に割り当てられ、前記シンボルのうちの前記少なくとも１つと正反対の表現は前記Ｎ本の搬送波のセットの第２搬送波に割り当てられる。前記多重搬送波信号は、前記Ｎ本の搬送波のセットによって形成された少なくとも１つの多重搬送波被変調シンボルを含むことができる。さらに、前記多重搬送波信号は、少なくとも１つのサイクリック・プレフィックスまたは少なくとも１つのガード区間を含んでもよい。前記シンボルを検出するように構成された前記手段によって検出される前記シンボルは、前記シンボルのうちの少なくとも１つと前記正反対の表現をさらに含んでもよく、前記シンボルのうちの少なくとも１つの、少なくとも１つの複素共役表現をさらに含んでもよく、前記シンボルのうちの少なくとも１つと前記正反対の表現の少なくとも１つの複素共役表現をさらに含んでもよい。前記受信機は、例えば無線または有線の通信システムに展開することができる。
【００３３】
本発明の実施形態によれば、前記受信機は、前記シンボルを検出するように構成された手段をさらに含み、前記第１搬送波および前記第２搬送波の搬送周波数は隣接する搬送周波数に割り当てられる。
【００３４】
本発明の実施形態によれば、前記受信機は、前記シンボルを検出するように構成された手段をさらに含み、前記手段は、時間領域検出方法および周波数領域検出方法のうちの少なくとも１つを適用する。
【００３５】
本発明のこれらの態様および他の態様は、以下で説明される実施形態から明瞭に理解でき、それらを参照することで明らかになる。
【発明を実施するための最良の形態】
【００３６】
本発明は、多重搬送波変調によってもたらされる干渉の緩和を提案し、ここで、Ｎ本の搬送波のセットの各搬送波にシンボルが割り当てられ、これは前記シンボルのうちの少なくとも１つを前記Ｎ本の搬送波のセットの第１搬送波に割り当てることによって、さらに、前記シンボルのうちの前記少なくとも１つと正反対の表現を前記Ｎ本の搬送波のセットの第２搬送波に割り当てることによる。
【００３７】
図１は、本発明による多重搬送波変調システムを概略的に表しており、ここで多重搬送波変調送信機１は、本発明に従って多重搬送波信号を受信機２へ送信する。
【００３８】
送信機１は、送信されるビットおよび／またはシンボルの任意の情報源に接続できるインターフェイス１０を含む。続いて、これらビットおよび／またはシンボルは、例えば前記送信機のメモリ１１に記憶される。信号プロセッサ１２は、伝送路符号化、インターリービングのような操作、またはＩＳＯ／ＯＳＩプロトコル・スタックの要件を満たすためのさらなる操作を実行することができる。なお、前記信号プロセッサ１２はさらに、前記ビットおよび／またはシンボルをインスタンス１３に直接送る（入力する）ために使用してもよい。前記信号処理されたビットおよび／またはシンボルを送信できるように、本発明による多重搬送波変調が、シンボルを割り当てる手段を含む多重搬送波変調コンポーネント１３によって実行される。前記多重搬送波変調コンポーネント１３は、信号処理されたビットおよび／またはシンボルを、例えばＢＰＳＫ、ＱＰＳＫ、８−ＰＳＫ、１６−ＰＳＫまたはＱＡＭなど、位相および／または振幅変調に従って、限られたシンボル符号のシンボルにマップする。その後、前記多重搬送波変調コンポーネント１３は、前記限られたシンボル符号の前記シンボルを、本発明に従い前記Ｎ本の搬送波のセットの搬送波に割り当てて、前記シンボルのうちの少なくとも１つが前記Ｎ本の搬送波のセットの第１搬送波に割り当てられ、前記シンボルのうちの前記少なくとも１つと正反対の表現が前記Ｎ本の搬送波のセットの第２搬送波に割り当てられるようにする。さらに、課題を解決するための手段に記載された本発明による実施形態のいずれかも、前記多重搬送波変調コンポーネント１３によって実施してもよい。最終的に、前記多重搬送波変調コンポーネント１３は少なくとも１つの多重搬送波被変調シンボルを含む多重搬送波信号を形成し、前記多重搬送波被変調シンボルは前記Ｎ本の搬送波のセットによって形成される。前記多重搬送波信号は、少なくとも１つのサイクリック・プレフィックスおよび／または少なくとも１つのガード区間を含むことができる。前記多重搬送波変調コンポーネント１３は、ハードウェアおよび／またはソフトウェアによって実装することができる。インスタンス１３は、インスタンス１４によって送信される前記多重搬送波信号を出力し、インスタンス１４は、無線または有線の送信チャネルへのインターフェイスとしての機能を果たす。送信機１の全インスタンス１０、１１、１２、１３および１４は、制御ユニット１５により制御される。
【００３９】
ここでは、多重搬送波信号がインスタンス２０を介して、個別の受信機と見なされる受信機２で受信され、シンボル検出手段を含む多重搬送波復調ユニット２１へ送られる。続いて、前記検出されたシンボルは信号プロセッサ２２へ送られる。具体的には、前記多重搬送波変調ユニット２１では、インスタンス１３に対応して前記搬送波に割り当てられた前記シンボルを検出するように、前記多重搬送波信号が復調されて、ここで、前記検出は前記割り当てについての情報を考慮に入れてもよい。信号プロセッサ２２は、送信機にある信号プロセッサ１２と機能的に一致する。そのため、例えば伝送路復号および／またはデインターリービングを、インスタンス２２によって実施してもよい。この信号プロセッサ２２は、信号処理されたビットおよび／またはシンボルをインターフェイス２４に接続されたメモリ２３に送る。受信機２の全てのインスタンス２０、２１、２２、２３および２４は、制御ユニット２５によって制御される。
【００４０】
以下では、説明のために、提示は、超広帯域無線（ＵＷＢ）の変形として、無線パーソナル・エリア・ネットワーク（ＷＰＡＮ）の標準通信プロトコルとしてＩＥＥＥ８０２．１５．３ａに提案されているマルチバンド（ＭＢ）ＯＦＤＭ変調に焦点を合わせる。
【００４１】
前記ＭＢ−ＯＦＤＭは、３．１〜１０．６ＧＨｚ帯域にわたり使用されるＯＦＤＭの拡張である。前記ＭＢ−ＯＦＤＭの各サブバンドは５２８ＭＨｚの帯域幅を有し、これを通して１２８トーンで構成されるＯＦＤＭシンボルが送信される。各ＯＦＤＭシンボル区間中、送信の中心周波数を、指定されている一連のホッピング・パラメータから選択できる。各送信が一度に５２８ＭＨｚだけを占有するようにシステムは設計され、無線信号が常にＵＷＢ送信に関するＦＣＣの５００ＭＨｚ帯域幅の要件を満たすようになっている。前記システムの現在のＰＨＹ規格（１．０）は、５３．３、８０、１０６．７、１６０、２００、３２０、４００および４８０Ｍｂｐｓのデータ転送速度をサポートする（２００５年７月時点で）。
【００４２】
前記ＭＢ−ＯＦＤＭシステムは、合計１２２の搬送波に、１００のデータ搬送波、１２のパイロット搬送波、１０のガード搬送波を使用する。残る６の搬送波（ＤＣを含む）はヌル値を伝える。前記Ｎ＝１２８の搬送波のセットは、１２８の搬送周波数のセットに関連付けられており、各搬送周波数は、論理指数ｉ∈｛０、１、．．．、１２７｝であるｆiにより表され、前記搬送周波数は、論理指数ｉによって前記搬送周波数の小さい順に配置される。そのため、例えば、対応する搬送周波数ｆ63を有する搬送波ｉ＝６３は、ベースバンドの前記Ｎ＝１２８の搬送波のセットのＤＣ搬送波を表す。隣接する搬送周波数を有する前記搬送波セットのうちの２本の搬送波は、周波数間隔４．１２５ＭＨｚを有する。
【００４３】
本発明は、電波天文学サービス（ＲＡＳ：Ｒａｄｉｏ  Ａｓｔｒｏｎｏｍｙ  Ｓｅｒｖｉｃｅｓ）、地球探査衛星サービス（ＥＥＳＳ：Ｅａｒｔｈ  Ｅｘｐｌｏｒａｔｉｏｎ  Ｓａｔｅｌｌｉｔｅ  Ｓｅｒｖｉｃｅｓ）、固定サービス（ＦＤ：Ｆｉｘｅｄ  Ｓｅｒｖｉｃｅｓ）および、同じく前記３．１〜１０．６ＧＨｚ帯域で動作するその他の狭帯域無線システムに、ＭＢ−ＯＦＤＭ送信機がもたらす干渉の量を制御するために使用することができる。
【００４４】
本発明の用途の一例として、以下では、前記ＷＰＡＮに適しているＭＢ−ＯＦＤＭ  ＰＨＹの３つの実施形態を提示する。それぞれＰＨＹオプション１およびＰＨＹオプション２と示される第１および第２の実施形態は、前記５３．３および８０Ｍｂｐｓモードに適しており、ＰＨＹオプション３と示される第３の実施形態は、前記１０６．７、１６０および２００Ｍｂｐｓモードに適している。
【００４５】
本発明の第１の実施形態
本発明の用途の一例として、前記ＷＰＡＮの前記５３．３および８０Ｍｂｐｓ動作モードの前記ＭＢ−ＯＦＤＭ変調について検討し、その結果本発明の実施形態が与えられる。
【００４６】
本例の実行は、本発明による多重搬送波変調によりもたらされる干渉の緩和方法の流れ図を表す図２に従ったものであり、前記流れ図は、図１に描かれている送信機１内の、シンボルを割り当てる手段を含む多重搬送波変調コンポーネント１３の動作ステップを表す。
【００４７】
本例では、５０のＱＰＳＫデータ・シンボル｛ｃ0、．．．、ｃ49｝のストリームが、１つおきのＯＦＤＭシンボル区間に受信される。ステップ１００では、時間領域拡散を適用する必要があるかどうかが確認される。これは、本例では当てはまらないため、第１ＯＦＤＭシンボル区間中に、ステップ１０１で前記データ・シンボルのサブセットＳ1＝｛ｃ0、．．．、ｃ24｝がデータ・シンボルのブロックとして形成される一方、第２ＯＦＤＭシンボル区間中に、ステップ１０１で前記データ・シンボルのサブセットＳ2＝｛ｃ25、．．．ｃ49｝がデータ・シンボルのブロックとして形成される。
【００４８】
以下では、前記第１ＯＦＤＭシンボル区間中のベースバンド処理について説明し、その後、前記第２ＯＦＤＭシンボル区間について説明する。
【００４９】
前記第１ＯＦＤＭシンボル区間中、ステップ１０３で、データ・シンボルの前記ブロックの前記シンボル、およびデータ・シンボルの前記ブロックの前記シンボルそれぞれの正反対の表現が、セットＳ’1＝｛ｃ0、−ｃ0、ｃ1、−ｃ1、．．．、ｃ24、−ｃ24｝の５０のシンボルに集約され、前記セットＳ’1は、前記１２８の搬送波のセットのうち、その搬送周波数に対応する論理指数｛７、８、１１、１２、．．．、２７、２８、３１、３２、．．．、４７、４８、５１、５２、．．．、６１、６２｝を有する５０の搬送波に割り当てられる。このようにして、前記セットＳ’1はＤＣより下のデータ搬送波にマップされ、前記データ・シンボルの各シンボル、および前記データ・シンボルの前記各シンボルの正反対の表現は、２つの隣接する搬送周波数にマップされる。
【００５０】
さらにステップ１０３で、データ・シンボルの前記ブロックの選択されたシンボル、対応する前記選択されたシンボルの正反対の表現、およびヌル・シンボルが、ガード・シンボルとしてセットＧ1＝｛ヌル、ｃ0、−ｃ0、ｃ1、−ｃ1｝に集約され、前記セットＧ1は、１２８の搬送波の前記セットのうち、その搬送周波数に対応する論理指数｛２、３、．．．６｝を有する５本の搬送波に割り当てられる。このようにして、前記セットＧ1はＤＣより下のガード搬送波に割り当てられる。
【００５１】
さらにステップ１０３で、１２のパイロット・シンボルのセットＰ＝｛Ｐ-2、−Ｐ-2、Ｐ-1、−Ｐ-1、Ｐ0、−Ｐ0、Ｐ0*、−Ｐ0*、Ｐ-1*、−Ｐ-1*、Ｐ-2*、−Ｐ-2*｝が、前記１２８の搬送波のセットのうち、その搬送周波数に対応する論理指数｛９、１０、２９、３０、４９、５０、７７、７８、９７、９８、１１７、１１８｝を有する１２本の搬送波にマップされる。このようにして、前記セットＰはパイロット搬送波に割り当てられる。
【００５２】
続いてステップ１０３で、６つのヌル・シンボルが、前記１２８の搬送波のセットのうち、その搬送周波数に対応する論理指数｛０、１、６３、６４、１２６、１２７｝を有する６本の搬送波に割り当てられる。
【００５３】
ステップ１０５で、前記セットＳ’1のシンボルの複素共役表現が構成され、セットＳ”1＝｛−ｃ24*、ｃ24*、−ｃ23*、ｃ23*、．．．、−ｃ0*、ｃ0*｝に集約される。前記セットＳ”1は、前記１２８の搬送波のセットのうち、その搬送周波数に対応する論理指数｛６５、６６、．．．、７５、７６、７９、８０．．．、９５、９６、９９、１００、．．．、１１５、１１６、１１９、１２０｝を有する５０の搬送波に割り当てられる。
【００５４】
さらにステップ１０５で、前記セットＧ1のガード・シンボルの複素共役表現が構成され、セットＧ2＝｛−ｃ1*、ｃ1*、−ｃ0*、ｃ0*、ヌル｝に集約され、前記セットＧ2は、前記１２８の搬送波のセットのうち、その搬送周波数に対応する論理指数｛１２１、１２２、．．．、１２５｝を有する５本の搬送波に割り当てられる。
【００５５】
ステップ１０６で、前記１２８の搬送波のセットの搬送波にヌル・シンボルを割り当てる必要があるかどうかが確認される。そうであれば、ステップ１０７で、ヌル・シンボルを前記１２８の搬送波のセットのいずれかに割り当てることができる。その後、ステップ１０７で、例えば、被害受信側帯域に収まる搬送波にヌル・シンボルを割り当てることができ、さらに前記被害受信側帯域に入らない他の搬送波にもヌル・シンボルを割り当てることができる。
【００５６】
搬送波に対する追加のヌル・シンボルの割り当てを伴わない、本発明のこの実施形態に関する、前記第１ＯＦＤＭシンボル区間中の、第１ＯＦＤＭシンボルの前記Ｎ＝１２８の搬送波のセットに対するシンボルおよび表現の前記割り当てが、図３に描かれている。
【００５７】
最後にステップ１０８で、前記第１ＯＦＤＭシンボル区間中に、搬送波の前記セットがＩＦＦＴへの入力として使用され、送信用に時間領域の第１ＯＦＤＭシンボルに逆変換される。さらにステップ１０８では、変調に関してさらなるベースバンド処理を実施してもよい。例えば、前記多重搬送波信号を形成するように、さらなるガード区間および／またはサイクリック・プレフィックスを前記ＯＦＤＭシンボルに付加してもよい。ここではベースバンド処理についてだけ検討する。当然のことながら、実際に多重搬送波信号を送信するには、パルス整形、フィルタリングおよびＲＦ変調などのさらなる処理が必要とされ、前記パルス整形、フィルタリングおよびＲＦ変調は、インスタンス１４によって実行することができる。
【００５８】
以下では、前記第２ＯＦＤＭシンボル区間中のベースバンド処理について説明する。
【００５９】
前記第２ＯＦＤＭシンボル区間中、ステップ１０３で、データ・シンボルの前記ブロックＳ2の前記シンボル、およびデータ・シンボルの前記ブロックの前記シンボルそれぞれの正反対の表現が、セットＳ’2＝｛−ｃ25、ｃ25、−ｃ26、ｃ26、．．．、−ｃ49、ｃ49｝の５０のシンボルに集約され、前記セットＳ’2は、その搬送周波数に対応する論理指数｛７、８、１１、１２、．．．、２７、２８、３１、３２、．．．、４７、４８、５１、５２、．．．、６１、６２｝を有する５０の搬送波に割り当てられる。このようにして、前記セットＳ’2はＤＣより下のデータ搬送波にマップされ、前記データ・シンボルの各シンボル、および前記データ・シンボルの前記各シンボルの正反対の表現は、２つの隣接する搬送周波数にマップされる。
【００６０】
さらにステップ１０３で、データ・シンボルの前記ブロックの選択されたシンボル、対応する前記選択されたシンボルの正反対の表現、およびヌル・シンボルが、ガード・シンボルとしてセットＧ1＝｛ヌル、ｃ25、−ｃ25、ｃ26、−ｃ26｝に集約され、前記セットＧ1は、前記１２８の搬送波のセットのうち、その搬送周波数に対応する論理指数｛２、３、．．．、６｝を有する５本の搬送波に割り当てられる。このようにして、前記セットＧ1はＤＣより下のガード搬送波に割り当てられる。
【００６１】
さらに、ステップ１０３で、１２のパイロット・シンボルのセットＰ＝｛Ｐ-2、−Ｐ-2、Ｐ-1、−Ｐ-1、Ｐ0、−Ｐ0、Ｐ0*、−Ｐ0*、Ｐ-1*、−Ｐ-1*、Ｐ-2*、−Ｐ-2*｝が、前記１２８の搬送波のセットのうち、その搬送周波数に対応する論理指数｛９、１０、２９、３０、４９、５０、７７、７８、９７、９８、１１７、１１８｝を有する１２の搬送波にマップされる。このようにして、前記セットＰはパイロット搬送波に割り当てられる。
【００６２】
続いてステップ１０３で、６つのヌル・シンボルが、前記１２８の搬送波のセットのうち、その搬送周波数に対応する論理指数｛０、１、６３、６４、１２６、１２７｝を有する６本の搬送波に割り当てられる。
【００６３】
ステップ１０５で、前記セットＳ’2のシンボルの複素共役表現が構成され、セットＳ”2＝｛−ｃ49*、ｃ49*、−ｃ48*、ｃ48*、．．．、−ｃ25*、ｃ25*｝に集約される。前記セットＳ”2は、前記１２８の搬送波のセットのうち、その搬送周波数に対応する論理指数｛６５、６６、．．．、７５、７６、７９、８０、．．．、９５、９６、９９、１００、．．．、１１５、１１６、１１９、１２０｝を有する５０の搬送波に割り当てられる。
【００６４】
さらにステップ１０５で、前記セットＧ1のガード・シンボルの複素共役表現が構成され、セットＧ2＝｛−ｃ26*、ｃ26*、−ｃ25*、ｃ25*、ヌル｝に集約され、前記セットＧ2は、前記１２８の搬送波のセットのうち、その搬送周波数に対応する論理指数｛１２１、１２２、．．．、１２５｝を有する５本の搬送波に割り当てられる。
【００６５】
ステップ１０６で、前記１２８の搬送波のセットの搬送波にヌル・シンボルを割り当てる必要があるかどうかが確認される。そうであれば、ステップ１０７で、ヌル・シンボルを前記１２８の搬送波のセットのいずれかに割り当てることができる。その後、ステップ１０７で、例えば、被害受信側帯域に収まる搬送波にヌル・シンボルを割り当てることができ、さらに前記被害受信側帯域に入らない他の搬送波にもヌル・シンボルを割り当てることができる。
【００６６】
搬送波に対する追加のヌル・シンボルの割り当てを伴わない、本発明のこの実施形態に関する、前記第２ＯＦＤＭシンボル区間中の、第２ＯＦＤＭシンボルの前記Ｎ＝１２８の搬送波のセットに対するシンボルおよび表現の前記割り当てが、図４に描かれている。
【００６７】
最後にステップ１０８で、前記第２ＯＦＤＭシンボル区間中に、前記搬送波のセットがＩＦＦＴへの入力として使用され、送信用に時間領域の第２ＯＦＤＭシンボルに逆変換される。さらに、ステップ１０８では、変調に関してさらなるベースバンド処理を実施してもよい。例えば、前記多重搬送波信号を形成するように、さらなるガード区間および／またはサイクリック・プレフィックスを前記ＯＦＤＭシンボルに付加してもよい。ここではベースバンド処理についてだけ検討する。当然のことながら、実際に多重搬送波信号を送信するには、パルス整形、フィルタリングおよびＲＦ変調などのさらなる処理が必要とされ、前記パルス整形、フィルタリングおよびＲＦ変調は、インスタンス１４によって実行することができる。
【００６８】
上記では、本発明を例示的な実施形態を用いて説明してきた。なお、当業者にとって明らかであり、添付の特許請求の範囲の範囲および意図から逸脱せずに実装可能な、代わりの方法および変形物がある。
【００６９】
本発明の第２の実施形態
本発明の用途の第２の例として、前記ＷＰＡＮの前記５３．３および８０Ｍｂｐｓ動作モードの前記ＭＢ−ＯＦＤＭ変調について検討し、その結果本発明の実施形態が与えられる。
【００７０】
本例の実行は、本発明による多重搬送波変調によりもたらされる干渉の緩和方法の流れ図を表す図１に従ったものであり、前記流れ図は、図１に描かれている送信機１内の、シンボルを割り当てる手段を含む多重搬送波変調コンポーネント１３の動作ステップを表す。
【００７１】
本例では、５０のＱＰＳＫデータ・シンボル｛ｃ0、．．．、ｃ49｝のストリームが、１つおきのＯＦＤＭシンボル区間に受信される。ステップ１００では、時間領域拡散を適用する必要があるかどうか確認される。第１ＯＦＤＭシンボル区間中は時間領域拡散はもたらされず、そのため、ステップ１０１でデータ・ブロックＳ1＝｛ｃ0、．．．、ｃ49｝が形成される。本例は、前記第１ＯＦＤＭシンボル期間中に形成されたのと同じデータ・ブロックＳ1＝｛ｃ0、．．．、ｃ49｝を、前記第２ＯＦＤＭシンボル区間中にステップ１０２において形成することによって、時間領域拡散をもたらす。
【００７２】
以下では、前記第１および前記第２ＯＦＤＭシンボル区間中のベースバンド処理について説明する。第２ＯＦＤＭシンボル期間中に同じデータ・ブロックＳ1＝｛ｃ0、．．．、ｃ49｝が繰り返され、従って同じＯＦＤＭシンボルが計算されるため、前記第１および前記第２ＯＦＤＭシンボル区間中のベースバンド処理は全く同じである。
【００７３】
前記第１および前記第２ＯＦＤＭシンボル区間中、ステップ１０３で、データ・シンボルの前記ブロックの前記シンボル、およびデータ・シンボルの前記ブロックの前記シンボルそれぞれの正反対の表現が、セットＳ’1＝｛ｃ0、−ｃ0、ｃ1、−ｃ1、．．．、ｃ24、−ｃ24｝およびＳ’2＝｛ｃ25、−ｃ25、ｃ26、−ｃ26、．．．、ｃ49、−ｃ49｝に集約される。前記セットＳ’1は、前記１２８の搬送波のセットのうち、その搬送周波数に対応する論理指数｛７、８、１１、１２、．．．、２７、２８、３１、３２、．．．、４７、４８、５１、５２、．．．、６１、６２｝を有する５０の搬送波に割り当てられ、前記セットＳ’2は、前記１２８の搬送波のセットのうち、その搬送周波数に対応する論理指数｛６５、６６、．．．７５、７６、７９、８０．．．、９５、９６、９９、１００、．．．、１１５、１１６、１１９、１２０｝を有する５０の搬送波に割り当てられる。このようにして、前記セットＳ’1はＤＣより下のデータ搬送波にマップされ、前記セットＳ’2はＤＣより上のデータ搬送波にマップされ、さらに、前記データ・シンボルの各シンボル、および前記データ・シンボルの前記各シンボルの正反対の表現は、２本の隣接する搬送周波数にマップされる。
【００７４】
さらにステップ１０３で、データ・シンボルの前記ブロックの選択されたシンボル、対応する前記選択されたシンボルの正反対の表現、およびヌル・シンボルが、ガード・シンボルとしてセットＧ1＝｛ヌル、ｃ0、−ｃ0、ｃ1、−ｃ1｝およびＧ2＝｛ｃ48、−ｃ48、ｃ49、−ｃ49、ヌル｝に集約される。前記セットＧ1は、前記１２８の搬送波のセットのうち、その搬送周波数に対応する論理指数｛２、３、．．．６｝を有する５本の搬送波に割り当てられ、前記セットＧ2は、前記１２８の搬送波のセットのうち、その搬送周波数に対応する論理指数｛１２１、１２２、．．．１２５｝を有する５本の搬送波に割り当てられる。
【００７５】
さらにステップ１０３で、１２のパイロット・シンボルのセットＰ＝｛Ｐ-2、−Ｐ-2、Ｐ-1、−Ｐ-1、Ｐ0、−Ｐ0、Ｐ1、−Ｐ1、Ｐ2、−Ｐ2、Ｐ3、−Ｐ3｝が、前記１２８の搬送波のセットのうち、その搬送周波数に対応する論理指数｛９、１０、２９、３０、４９、５０、７７、７８、９７、９８、１１７、１１８｝を有する１２の搬送波にマップされる。このようにして、前記セットＰはパイロット搬送波に割り当てられる。
【００７６】
続いて、ステップ１０３で、６つのヌル・シンボルが、前記１２８の搬送波のセットのうち、その搬送周波数に対応する論理指数｛０、１、６３、６４、１２６、１２７｝を有する６本の搬送波に割り当てられる。
【００７７】
ステップ１０４で、さらなる周波数領域拡散を適用する必要があるかどうかが確認される。これは本例には当てはまらない。
【００７８】
そのため、ステップ１０６で、前記１２８の搬送波のセットの搬送波にヌル・シンボルを割り当てる必要があるかどうかが確認される。そうであれば、ステップ１０７で、ヌル・シンボルを前記１２８の搬送波のセットのいずれかに割り当てることができる。その後、ステップ１０７で、例えば、被害受信側帯域に収まる搬送波にヌル・シンボルを割り当てることができ、さらに前記被害受信側帯域に入らない他の搬送波にもヌル・シンボルを割り当てることができる。
【００７９】
搬送波に対する追加のヌル・シンボルの割り当てを伴わない、本発明のこの実施形態に関する、前記第１ＯＦＤＭシンボル区間および前記第２ＯＦＤＭシンボル区間中の、第１および第２ＯＦＤＭシンボルの前記Ｎ＝１２８の搬送波のセットに対するシンボルおよび表現の前記割り当てが、図５に描かれている。
【００８０】
最後にステップ１０８で、前記第１および前記第２ＯＦＤＭシンボル区間中に、搬送波の前記セットがＩＦＦＴへの入力として使用され、送信用に時間領域の第１および第２ＯＦＤＭシンボルに逆変換される。さらにステップ１０８では、変調に関してさらなるベースバンド処理を実施してもよい。例えば、前記多重搬送波信号を形成するように、さらなるガード区間および／またはサイクリック・プレフィックスを前記ＯＦＤＭシンボルに付加してもよい。ここではベースバンド処理についてだけ検討する。当然のことながら、実際に多重搬送波信号を送信するには、パルス整形、フィルタリングおよびＲＦ変調などのさらなる処理が必要とされ、前記パルス整形、フィルタリングおよびＲＦ変調は、インスタンス１４によって実行することができる。
【００８１】
上記では、本発明を例示的な実施形態を用いて説明してきた。なお、当業者にとって明らかであり、添付の特許請求の範囲の範囲および意図から逸脱せずに実装可能な、代わりの方法および変形物がある。
【００８２】
本発明の第３の実施形態
本発明の用途の第３として、前記ＷＰＡＮの前記１０６．７、１６０および２００Ｍｂｐｓ動作モードの前記ＭＢ−ＯＦＤＭ変調について検討し、その結果本発明の実施形態が与えられる。
【００８３】
本例の実行は、本発明による多重搬送波変調によりもたらされる干渉の緩和方法の流れ図を表す図１に従ったものであり、前記流れ図は、図１に描かれている送信機１内の、シンボルを割り当てる手段を含む多重搬送波変調コンポーネント１３の動作ステップを表す。
【００８４】
本例では、１００のＱＰＳＫデータ・シンボル｛ｃ0、．．．、ｃ99｝のストリームが、１つおきのＯＦＤＭシンボル区間に受信される。ステップ１００では、時間領域拡散を適用する必要があるかどうかが確認される。これは、本例では当てはまらないため、第１ＯＦＤＭシンボル区間中に、ステップ１０１で前記データ・シンボルのサブセットＳ1＝｛ｃ0、．．．、ｃ49｝がデータ・シンボルのブロックとして形成される一方、第２ＯＦＤＭシンボル区間中に、ステップ１０１で前記データ・シンボルのサブセットＳ2＝｛ｃ50、．．．、ｃ99｝がデータ・シンボルのブロックとして形成される。
【００８５】
以下では、前記第１ＯＦＤＭシンボル区間中のベースバンド処理について説明し、その後、前記第２ＯＦＤＭシンボル区間について説明する。
【００８６】
前記第１ＯＦＤＭシンボル区間中、ステップ１０３で、データ・シンボルの前記ブロックの前記シンボル、およびデータ・シンボルの前記ブロックの前記シンボルそれぞれの正反対の表現が、セットＳ’1a＝｛ｃ0、−ｃ0、ｃ1、−ｃ1、．．．、ｃ24、−ｃ24｝およびＳ’1b＝｛ｃ25、−ｃ25、ｃ26、−ｃ26、．．．、ｃ49、−ｃ49｝に集約される。前記セットＳ’1aは、前記１２８の搬送波のセットのうち、その搬送周波数に対応する論理指数｛７、８、１１、１２、．．．、２７、２８、３１、３２、．．．、４７、４８、５１、５２、．．．、６１、６２｝を有する５０の搬送波に割り当てられ、前記セットＳ’1bは、前記１２８の搬送波のセットのうち、その搬送周波数に対応する論理指数｛６５、６６、．．．７５、７６、７９、８０、．．．、９５、９６、９９、１００、．．．、１１５、１１６、１１９、１２０｝を有する５０の搬送波に割り当てられる。このようにして、前記セットＳ’1aはＤＣより下のデータ搬送波マップされ、前記セットＳ’1bはＤＣより上のデータ搬送波にマップされ、さらに、前記データ・シンボルの各シンボル、および前記データ・シンボルの前記各シンボルの正反対の表現は、２つの隣接する搬送周波数にマップされる。
【００８７】
さらにステップ１０３で、データ・シンボルの前記ブロックの選択されたシンボル、対応する前記選択されたシンボルの正反対の表現、およびヌル・シンボルが、ガード・シンボルとして、セットＧ1＝｛ヌル、ｃ0、−ｃ0、ｃ1、−ｃ1｝およびＧ2＝｛ｃ48、−ｃ48、ｃ49、−ｃ49、ヌル｝に集約される。前記セットＧ1は、前記１２８の搬送波のセットのうち、その搬送周波数に対応する論理指数｛２、３、．．．、６｝を有する５本の搬送波に割り当てられ、前記セットＧ2は、前記１２８の搬送波のセットのうち、その搬送周波数に対応する論理指数｛１２１、１２２、．．．１２５｝を有する５本の搬送波に割り当てられる。
【００８８】
さらにステップ１０３で、１２のパイロット・シンボルのセットＰ＝｛Ｐ-2、−Ｐ-2、Ｐ-1、−Ｐ-1、Ｐ0、−Ｐ0、Ｐ1、−Ｐ1、Ｐ2、−Ｐ2、Ｐ3、−Ｐ3｝が、前記１２８の搬送波のセットのうち、その搬送周波数に対応する論理指数｛９、１０、２９、３０、４９、５０、７７、７８、９７、９８、１１７、１１８｝を有する１２の搬送波にマップされる。このようにして、前記セットＰはパイロット搬送波に割り当てられる。
【００８９】
続いてステップ１０３で、６つのヌル・シンボルが、前記１２８の搬送波のセットのうち、その搬送周波数に対応する論理指数｛０、１、６３、６４、１２６、１２７｝を有する６本の搬送波に割り当てられる。
【００９０】
ステップ１０４で、さらなる周波数領域拡散を適用する必要があるかどうかが確認される。これは本例には当てはまらない。
【００９１】
そのため、ステップ１０６で、前記１２８の搬送波のセットの搬送波に、ヌル・シンボルを割り当てる必要があるかどうかが確認される。そうであれば、ステップ１０７で、ヌル・シンボルを前記１２８の搬送波のセットのいずれかに割り当てることができる。その後、ステップ１０７で、例えば、被害受信側帯域に収まる搬送波にヌル・シンボルを割り当てることができ、さらに前記被害受信側帯域に入らない他の搬送波にもヌル・シンボルを割り当てることができる。
【００９２】
搬送波への追加のヌル・シンボルの割り当てを伴わない、本発明のこの実施形態に関する、前記第１ＯＦＤＭシンボル区間中の、第１ＯＦＤＭシンボルの前記Ｎ＝１２８の搬送波のセットに対するシンボルおよび表現の前記割り当てが、図６に描かれている。
【００９３】
最後にステップ１０８で、前記第１ＯＦＤＭシンボル区間中に、搬送波の前記セットがＩＦＦＴへの入力として使用され、送信用に時間領域の第１ＯＦＤＭシンボルに逆変換される。さらにステップ１０８では、変調に関してさらなるベースバンド処理を実施してもよい。例えば、前記多重搬送波信号を形成するべく、さらなるガード区間および／またはサイクリック・プレフィックスを前記ＯＦＤＭシンボルに付加してもよい。ここではベースバンド処理についてだけ検討する。当然のことながら、実際に多重搬送波信号を送信するには、パルス整形、フィルタリングおよびＲＦ変調などのさらなる処理が必要とされ、前記パルス整形、フィルタリングおよびＲＦ変調は、インスタンス１４によって実行することができる。
【００９４】
以下では、前記第２ＯＦＤＭシンボル区間中のベースバンド処理について説明する。
【００９５】
前記第２ＯＦＤＭシンボル区間中、ステップ１０３で、データ・シンボルの前記ブロックの前記シンボル、およびデータ・シンボルの前記ブロックの前記シンボルそれぞれの正反対の表現が、セットＳ’2a＝｛ｃ50、−ｃ50、ｃ51、−ｃ51、．．．、ｃ74、−ｃ74｝およびＳ’2b＝｛ｃ75、−ｃ75、ｃ76、−ｃ76、．．．、ｃ99、−ｃ99｝に集約される。前記セットＳ’2aは、前記１２８の搬送波のセットのうち、その搬送周波数に対応する論理指数｛７、８、１１、１２、．．．、２７、２８、３１、３２、．．．、４７、４８、５１、５２、．．．、６１、６２｝を有する５０の搬送波に割り当てられ、前記セットＳ’2bは、前記１２８の搬送波のセットのうち、その搬送周波数に対応する論理指数｛６５、６６、．．．７５、７６、７９、８０．．．、９５、９６、９９、１００、．．．、１１５、１１６、１１９、１２０｝を有する５０の搬送波に割り当てられる。このようにして、前記セットＳ’2aはＤＣより下のデータ搬送波にマップされ、前記セットＳ’2bはＤＣより上のデータ搬送波にマップされ、さらに、前記データ・シンボルの各シンボル、および前記データ・シンボルの前記各シンボルの正反対の表現は、２つの隣接する搬送周波数にマップされる。
【００９６】
さらにステップ１０３で、データ・シンボルの前記ブロックの選択されたシンボル、対応する前記選択されたシンボルの正反対の表現、およびヌル・シンボルが、ガード・シンボルとして、セットＧ1＝｛ヌル、ｃ50、−ｃ50、ｃ51、−ｃ51｝およびＧ2＝｛ｃ98、−ｃ98、ｃ99、−ｃ99、ヌル｝に集約される。前記セットＧ1は、前記１２８の搬送波のセットのうち、その搬送周波数に対応する論理指数｛２、３、．．．６｝を有する５本の搬送波に割り当てられ、前記セットＧ2は、前記１２８の搬送波のセットのうち、その搬送周波数に対応する論理指数｛１２１、１２２、．．．、１２５｝を有する５本の搬送波に割り当てられる。
【００９７】
さらにステップ１０３で、１２のパイロット・シンボルのセットＰ＝｛Ｐ-2、−Ｐ-2、Ｐ-1、−Ｐ-1、Ｐ0、−Ｐ0、Ｐ1、−Ｐ1、Ｐ2、−Ｐ2、Ｐ3、−Ｐ3｝が、前記１２８の搬送波のセットのうち、その搬送周波数に対応する論理指数｛９、１０、２９、３０、４９、５０、７７、７８、９７、９８、１１７、１１８｝を有する１２の搬送波にマップされる。このようにして、前記セットＰはパイロット搬送波に割り当てられる。
【００９８】
続いてステップ１０３で、６つのヌル・シンボルが、前記１２８の搬送波のセットのうち、その搬送周波数に対応する論理指数｛０、１、６３、６４、１２６、１２７｝を有する６本の搬送波に割り当てられる。
【００９９】
ステップ１０４で、さらなる周波数領域拡散を適用する必要があるかどうかが確認される。これは本例には当てはまらない。
【０１００】
そのため、ステップ１０６で、前記１２８の搬送波のセットの搬送波に、ヌル・シンボルを割り当てる必要があるかどうかが確認される。そうであれば、ステップ１０７で、ヌル・シンボルを前記１２８の搬送波のセットのいずれかに割り当てることができる。その後、ステップ１０７で、例えば、被害受信側帯域に収まる搬送波にヌル・シンボルを割り当てることができ、さらに前記被害受信側帯域に入らない他の搬送波にもヌル・シンボルを割り当てることができる。
【０１０１】
搬送波への追加のヌル・シンボルの割り当てを伴わない、本発明のこの実施形態に関する、前記第２ＯＦＤＭシンボル区間中の、第２ＯＦＤＭシンボルの前記Ｎ＝１２８の搬送波のセットに対するシンボルおよび表現の前記割り当てが、図７に描かれている。
【０１０２】
最後にステップ１０８で、前記第２ＯＦＤＭシンボル区間中に、搬送波の前記セットがＩＦＦＴへの入力として使用され、送信用に時間領域の第２ＯＦＤＭシンボルに逆変換される。さらにステップ１０８では、変調に関してさらなるベースバンド処理を実施してもよい。例えば、前記多重搬送波信号を形成するように、さらなるガード区間および／またはサイクリック・プレフィックスを前記ＯＦＤＭシンボルに付加してもよい。ここではベースバンド処理についてだけ検討する。当然のことながら、実際に多重搬送波信号を送信するには、パルス整形、フィルタリングおよびＲＦ変調などのさらなる処理が必要とされ、前記パルス整形、フィルタリングおよびＲＦ変調は、インスタンス１４によって実行することができる。
【０１０３】
上記では、本発明を例示的な実施形態を用いて説明してきた。なお、当業者にとって明らかであり、添付の特許請求の範囲の範囲および意図から逸脱せずに実装可能な、代わりの方法および変形物がある。
【図面の簡単な説明】
【０１０４】
【図１】多重搬送波変調送信機が多重搬送波信号を受信機に送信する、本発明による多重搬送波変調システムの概略を示す図である。
【図２】本発明による、多重搬送波変調によりもたらされる干渉の緩和方法の流れ図である。
【図３】追加のヌル・シンボルの搬送波への割り当てを伴わない、本発明の第１の好適な実施形態による、第１ＯＦＤＭシンボル期間中の搬送波へのシンボルおよび表現の割り当てを示す図である。
【図４】追加のヌル・シンボルの搬送波への割り当てを伴わない、本発明の第１の好適な実施形態による、第２ＯＦＤＭシンボル期間中の搬送波へのシンボルおよび表現の割り当てを示す図である。
【図５】追加のヌル・シンボルの搬送波への割り当てを伴わない、本発明の第２の実施形態による、第１ＯＦＤＭシンボル期間中および第２ＯＦＤＭシンボル期間中の搬送波へのシンボルおよび表現の割り当てを示す図である。
【図６】追加のヌル・シンボルの搬送波への割り当てを伴わない、本発明の第３の実施形態による、第１ＯＦＤＭシンボル期間中の搬送波へのシンボルおよび表現の割り当てを示す図である。
【図７】追加のヌル・シンボルの搬送波への割り当てを伴わない、本発明の第３の実施形態による、第２ＯＦＤＭシンボル期間中の搬送波へのシンボルおよび表現の割り当てを示す図である。
【図１】
2009505471.tif 000003
【図２】
2009505471.tif 000004
【図３】
2009505471.tif 000005
【図４】
2009505471.tif 000006
【図５】
2009505471.tif 000007
【図６】
2009505471.tif 000008
【図７】
2009505471.tif 000009
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
Ｎ本の搬送波のセットの各搬送波にシンボルが割り当てられる多重搬送波変調方法であって、
少なくとも前記シンボルのうちの１つを前記Ｎ本の搬送波のセットの第１搬送波に割り当てるステップと、前記少なくとも前記シンボルのうちの１つと正反対の表現を前記Ｎ本の搬送波のセットの第２搬送波に割り当てるステップと、
を含む方法。
【請求項２】
前記第１搬送波および前記第２搬送波の搬送周波数は、隣接する搬送周波数に割り当てられる、請求項１に記載の方法。
【請求項３】
前記多重搬送波変調は、マルチバンド（ＭＢ：Ｍｕｌｔｉ  Ｂａｎｄ）直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調を表す、請求項１〜２のいずれか一項に記載の方法。
【請求項４】
前記第１搬送波に関連付けられる前記少なくとも１つの前記シンボルの複素共役表現は、第３搬送波に割り当てられ、前記第２搬送波に関連付けられる前記正反対の表現の複素共役表現は、第４搬送波に割り当てられる、請求項１〜３のいずれか一項に記載の方法。
【請求項５】
前記Ｎ本の搬送波のセットはＮ個の搬送周波数のセットに関連付けられ、各搬送周波数は、指数ｉ∈｛０、１、．．．、Ｎ−１｝を有するｆiにより表され、前記搬送周波数ｆiは、指数ｉによって前記搬送周波数の小さい順に配列され、前記第１搬送波の搬送周波数はｋ∈｛０、１、．．．、Ｎ−１｝を有するｆkにより表され、前記第２搬送波の搬送周波数はｆlによって表され、ｌ∈｛０、．．．、Ｎ−１｝であり、ｌ≠ｋがなりたち、搬送周波数ｆN-1-kは前記第３搬送波に関連付けられ、搬送周波数ｆN-1-lは前記第４搬送波に関連付けられる、請求項４に記載の方法。
【請求項６】
少なくとも前記Ｎ本の搬送波のうちの１本と、少なくとも前記シンボルのうちの１つおよび前記少なくとも１つのシンボルと前記正反対の表現との関連付けは、前記多重搬送波変調の第１および第２シンボル期間と同じである、請求項１〜５のいずれか一項に記載の方法。
【請求項７】
少なくとも前記Ｎ本の搬送波のうちの１本と、少なくとも前記シンボルのうちの１つ、前記少なくとも１つのシンボルと前記正反対の表現、および前記複素共役表現との関連付けは、前記多重搬送波変調の第１および第２シンボル期間と同じである、請求項４又は５に記載の方法。
【請求項８】
前記Ｎ本の搬送波のセットの少なくとも前記搬送波のうちの１本にヌル・シンボルが割り当てられる、請求項１〜７のいずれか一項に記載の方法。
【請求項９】
前記Ｎ本の搬送波のセットのうちの少なくとも２本の搬送波にヌル・シンボルが割り当てられ、前記Ｎ本の搬送波のセットのうちの前記少なくとも２本の搬送波のうち少なくとも一対の搬送波は、隣接する搬送周波数の２本の搬送波を有する、請求項１〜８のいずれか一項に記載の方法。
【請求項１０】
前記多重搬送波変調は、無線パーソナル・エリア・ネットワーク（ＷＰＡＮ：Ｗｉｒｅｌｅｓｓ  Ｐｅｒｓｏｎａｌ  Ａｒｅａ  Ｎｅｔｗｏｒｋ）の超広帯域無線として使用される、請求項１〜９のいずれか一項に記載の方法。
【請求項１１】
前記多重搬送波変調は、５３．３Ｍｂｐｓ、８０Ｍｂｐｓ、１０６．７Ｍｂｐｓ、１６０Ｍｂｐｓおよび２００Ｍｂｐｓのデータ転送速度のいずれかで動作する、請求項１〜１０のいずれか一項に記載の方法。
【請求項１２】
Ｎ本の搬送波のセットの各搬送波にシンボルが割り当てられる多重搬送波変調の方法であって、
少なくとも前記シンボルのうちの１つを係数ｗで重み付けされている第１搬送波に割り当てるステップと、前記少なくとも前記シンボルのうちの１つを前記係数ｗに対し正反対の係数−ｗで重み付けされている第２搬送波に割り当てるステップと、
を含む方法。
【請求項１３】
コンピュータ・プログラムであって、
Ｎ本の搬送波のセットの各搬送波にシンボルが割り当てられる多重搬送波変調方法において、
少なくとも前記シンボルのうちの１つを前記Ｎ本の搬送波のセットの第１搬送波に割り当てるステップと、
前記少なくとも前記シンボルのうちの１つと正反対の表現を前記Ｎ本の搬送波のセットの第２搬送波に割り当てるステップと、
をプロセッサに実行させるように動作可能な命令を有するコンピュータ可読媒体に記憶されているコンピュータ・プログラム。
【請求項１４】
コンピュータ・プログラムであって、
Ｎ本の搬送波のセットの各搬送波にシンボルが割り当てられる多重搬送波変調の方法において、
少なくとも前記シンボルのうちの１つを係数ｗで重み付けされている第１搬送波に割り当てるステップと、
前記少なくとも前記シンボルのうちの１つを前記係数ｗに対し正反対の係数−ｗで重み付けされている第２搬送波に割り当てるステップと、
をプロセッサに実行させるように動作可能な命令を有するコンピュータ可読媒体に記憶されているコンピュータ・プログラム。
【請求項１５】
Ｎ本の搬送波のセットの各搬送波にシンボルが割り当てられる多重搬送波変調方法を処理するソフトウェアプログラムコードであって、
少なくとも前記シンボルのうちの１つを前記Ｎ本の搬送波のセットの第１搬送波に割り当てるステップと、
前記少なくとも前記シンボルのうちの１つと正反対の表現を前記Ｎ本の搬送波のセットの第２搬送波に割り当てるステップと、
を有するソフトウェアプログラムコード。
【請求項１６】
Ｎ本の搬送波のセットの各搬送波にシンボルが割り当てられる多重搬送波変調の方法を処理するソフトウェアプログラムコードであって、
少なくとも前記シンボルのうちの１つを係数ｗで重み付けされている第１搬送波に割り当てるステップと、
前記少なくとも前記シンボルのうちの１つを前記係数ｗに対し正反対の係数−ｗで重み付けされている第２搬送波に割り当てるステップと、
を有するソフトウェアプログラムコード。
【請求項１７】
Ｎ本の搬送波のセットの各搬送波にシンボルが割り当てられる多重搬送波変調システムであって、
少なくとも前記シンボルのうちの１つを前記Ｎ本の搬送波のセットの第１搬送波に割り当てるように構成された手段と、
前記少なくとも前記シンボルのうちの１つと正反対の表現を前記Ｎ本の搬送波のセットの第２搬送波に割り当てるように構成された手段と、
を含むシステム。
【請求項１８】
前記システムは、
前記第１搬送波および前記第２搬送波の搬送周波数を、隣接する搬送周波数に割り当てるように構成された手段
をさらに含む、請求項１７に記載のシステム。
【請求項１９】
前記システムは、
前記多重搬送波変調の多重搬送波信号を送信するように構成された手段と、
前記多重搬送波変調の前記多重搬送波信号を受信するように構成された手段と、
前記シンボルを検出するように構成された手段と、
をさらに含む、請求項１８に記載のシステム。
【請求項２０】
Ｎ本の搬送波のセットの各搬送波にシンボルが割り当てられる多重搬送波変調送信機であって、
少なくとも前記シンボルのうちの１つを前記Ｎ本の搬送波のセットの第１搬送波に割り当てるように構成されている手段と、
前記少なくとも前記シンボルのうちの１つと正反対の表現を前記Ｎ本の搬送波のセットの第２搬送波に割り当てるように構成されている手段と、
前記シンボルを割り当てる手段によって各シンボルが割り当てられている搬送波を含む多重搬送波信号を送信するように構成されている手段と、
を含む送信機。
【請求項２１】
前記送信機は、前記第１搬送波および前記第２搬送波の搬送周波数を隣接する搬送周波数に割り当てるように構成されている手段をさらに含む、請求項２０に記載の送信機。
【請求項２２】
Ｎ本の搬送波のセットの各搬送波にシンボルを割り当てる多重搬送波変調の多重搬送波信号を受信し、前記シンボルを検出する受信機であって、
前記シンボルを検出するように構成されている手段であって、少なくとも前記シンボルのうちの１つが前記Ｎ本の搬送波のセットの第１搬送波に割り当てられ、前記少なくとも前記シンボルのうちの１つと正反対の表現が、前記Ｎ本の搬送波のセットの第２搬送波に割り当てられる手段
を含む受信機。
【請求項２３】
前記受信機は、
前記シンボルを検出するように構成されている手段であって、前記第１搬送波および前記第２搬送波の搬送周波数は隣接する搬送周波数に割り当てられる手段
をさらに含む、請求項２２に記載の受信機。
【請求項２４】
前記受信機は、
時間領域検出方法および周波数領域検出方法のうちの少なくとも１つを適用し、前記シンボルを検出するように構成されている手段
をさらに含む、請求項２２又は２３に記載の受信機。
【国際調査報告】
2009505471.tif 000010
2009505471.tif 000011